(57)【要約】【課題】本体部に対する蓋部の浮きを抑制することができる技術を提供することを目的とする。【解決手段】プロテクタ２０は、保護対象部材の延在方向に沿った形状に形成された本体部２２と、前記本体部２２とで前記保護対象部材の周囲を囲繞可能な蓋部４０とを備える。さらにプロテクタ２０は、一端が前記蓋部４０の外向き面に連なる第１ヒンジ４８と、前記第１ヒンジ４８の他端に連なる突出片５０とを含み、前記第１ヒンジ４８により前記蓋部４０と前記突出片５０とが開く方向に付勢されている押片４６と、前記本体部２２に設けられたロック部３０と、前記突出片５０に設けられ、前記突出片５０が前記蓋部４０の前記外向き面に接近した状態で前記ロック部３０と係止可能な被ロック部５２と、を備える。【選択図】図１
2016144242.tif 000002
【特許請求の範囲】
【請求項１】
保護対象部材の延在方向に沿った形状に形成された本体部と、
前記本体部とで前記保護対象部材の周囲を囲繞可能な蓋部と、
一端が前記蓋部の外向き面に連なる第１ヒンジと、前記第１ヒンジの他端に連なる突出片とを含み、前記第１ヒンジにより前記蓋部と前記突出片とが開く方向に付勢されている押片と、
前記本体部に設けられたロック部と、
前記突出片に設けられ、前記突出片が前記蓋部の前記外向き面に接近した状態で前記ロック部と係止可能な被ロック部と、
を備える、プロテクタ。
【請求項２】
請求項１に記載のプロテクタであって、
前記本体部の延在方向に沿って前記ロック部と離れた位置において、前記本体部と前記蓋部とが第２ヒンジを介してつながっている、プロテクタ。
【請求項３】
請求項２に記載のプロテクタであって、
前記本体部の延在方向に沿って前記第１ヒンジと前記第２ヒンジとの間で、前記ロック部と前記被ロック部とが係止している、プロテクタ。
【請求項４】
請求項２又は請求項３に記載のプロテクタであって、
前記第１ヒンジの延在方向と前記第２ヒンジの延在方向とが平行に設定されている、プロテクタ。
【請求項５】
請求項１〜請求項４のいずれか１項に記載のプロテクタであって、
前記保護対象部材としてバスバーが収容される、プロテクタ。
【請求項６】
請求項１〜請求項５のいずれか１項に記載のプロテクタと、
前記プロテクタの内部に収容されたバスバーと、
を備える、バスバーモジュール。
【発明の詳細な説明】
【技術分野】
【０００１】
この発明は、保護対象部材を保護するプロテクタに関する。
【背景技術】
【０００２】
ワイヤーハーネスを保護するプロテクタが、例えば、特許文献１又は特許文献２に開示されている。
【０００３】
特許文献１及び特許文献２に記載のプロテクタは、本体部と蓋部とがヒンジでつながり、ヒンジと反対側では、ロック部（ロック爪）と被ロック部（ロック枠）とでロックするとされている。
【先行技術文献】
【特許文献】
【０００４】
【特許文献１】特開２００５−３１８７４０号公報
【特許文献２】特開２００４−３５７４１５号公報
【発明の概要】
【発明が解決しようとする課題】
【０００５】
しかしながら、プロテクタによっては、収容空間を挟んでロック部に対向する反対側では、本体部と蓋部とがつながっておらず、また、ロック部も設けられない場合がある。この場合、ロック部の反対側で、本体部に対する蓋部の浮きが生じ、収容される部材の咬み込み又は異物の混入等が発生する恐れがある。
【０００６】
そこで、本発明は、本体部に対する蓋部の浮きを抑制することができる技術を提供することを目的とする。
【課題を解決するための手段】
【０００７】
上記課題を解決するため、第１の態様に係るプロテクタは、保護対象部材の延在方向に沿った形状に形成された本体部と、前記本体部とで前記保護対象部材の周囲を囲繞可能な蓋部と、一端が前記蓋部の外向き面に連なる第１ヒンジと、前記第１ヒンジの他端に連なる突出片とを含み、前記第１ヒンジにより前記蓋部と前記突出片とが開く方向に付勢されている押片と、前記本体部に設けられたロック部と、前記突出片に設けられ、前記突出片が前記蓋部の前記外向き面に接近した状態で前記ロック部と係止可能な被ロック部と、を備える。
【０００８】
第２の態様に係るプロテクタは、第１の態様に係るプロテクタであって、前記本体部の延在方向に沿って前記ロック部と離れた位置において、前記本体部と前記蓋部とが第２ヒンジを介してつながっている。
【０００９】
第３の態様に係るプロテクタは、第２の態様に係るプロテクタであって、前記本体部の延在方向に沿って前記第１ヒンジと前記第２ヒンジとの間で、前記ロック部と前記被ロック部とが係止している。
【００１０】
第４の態様に係るプロテクタは、第２又は第３の態様に係るプロテクタであって、前記第１ヒンジの延在方向と前記第２ヒンジの延在方向とが平行に設定されている。
【００１１】
第５の態様に係るプロテクタは、第１〜第４のいずれか１つの態様に係るプロテクタであって、前記保護対象部材としてバスバーが収容される。
【００１２】
第６の態様に係るバスバーモジュールは、第１〜第５のいずれか１つの態様に係るプロテクタと、前記プロテクタの内部に収容されたバスバーと、を備える。
【発明の効果】
【００１３】
第１〜第５の態様に係るプロテクタによると、保護対象部材の延在方向に沿った形状に形成された本体部と、本体部とで保護対象部材の周囲を囲繞可能な蓋部と、一端が蓋部の外向き面に連なる第１ヒンジと、第１ヒンジの他端に連なる突出片とを含み、第１ヒンジにより蓋部と突出片とが開く方向に付勢されている押片と、本体部に設けられたロック部と、突出片に設けられ、突出片が蓋部の外向き面に接近した状態でロック部と係止可能な被ロック部と、を備えるため、押片の弾性変形による反力が蓋部を押さえる方向に作用することによって、本体部に対する蓋部の浮きを抑制することができる。
【００１４】
特に、第２の態様に係るプロテクタによると、本体部の延在方向に沿ってロック部と離れた位置において、本体部と蓋部とが第２ヒンジを介してつながっているため、本体部に対して蓋部が浮きやすい。この場合でも、押片の弾性変形による反力が蓋部を押さえる方向に作用するため、本体部に対する蓋部の浮きを抑制することができる。
【００１５】
特に、第３の態様に係るプロテクタによると、本体部の延在方向に沿って第１ヒンジと第２ヒンジとの間で、ロック部と被ロック部とが係止しているため、蓋部の延在方向に沿って第２ヒンジからより遠い側に押片の弾性変形による反力が作用するため、本体部に対する蓋部の浮きをより確実に抑制することができる。
【００１６】
特に、第４の態様に係るプロテクタによると、第１ヒンジの延在方向と第２ヒンジの延在方向とが平行に設定されているため、第２ヒンジの反力を第１ヒンジの反力で打ち消しやすい。これにより、本体部に対する蓋部の浮きをより確実に抑制することができる。
【００１７】
特に、第５の態様に係るプロテクタによると、保護対象部材としてバスバーが収容されるため、本体部に対する蓋部の浮きを抑制することで、浮きによる隙間からの異物混入等によってショートする恐れを抑えることができる。
【００１８】
第６の態様に係るバスバーモジュールによると、保護対象部材の延在方向に沿った形状に形成された本体部と、本体部とで保護対象部材の周囲を囲繞可能な蓋部と、蓋部の外向き面に第１ヒンジを介して設けられ、蓋部の外向き面に接近可能に弾性変形可能な押片と、本体部に設けられたロック部と、押片に設けられ、押片が蓋部の外向き面に接近した状態でロック部と係止可能な被ロック部と、を備えるプロテクタを備えるため、押片の弾性変形による反力が蓋部を押さえる方向に作用することによって、本体部に対する蓋部の浮きを抑制することができる。これにより、バスバーが収容されても、浮きによる隙間からの異物混入等によってショートする恐れを抑えることができる。
【図面の簡単な説明】
【００１９】
【図１】実施形態に係るプロテクタを示す斜視図である。
【図２】実施形態に係るプロテクタを示す正面図である。
【図３】プロテクタの蓋部が閉じている状態を示す斜視図である。
【図４】プロテクタの蓋部が閉じている状態を示す正面図である。
【図５】プロテクタがロックされている状態を示す斜視図である。
【図６】プロテクタがロックされている状態を示す正面図である。
【図７】プロテクタがロックされている状態を示す背面図である。
【図８】プロテクタがロックされている状態を示す底面図である。
【図９】図８のＩＸ−ＩＸ線に沿って切断した断面図である。
【発明を実施するための形態】
【００２０】
以下、実施形態に係るプロテクタ２０について説明する。図１〜図９は、実施形態に係るプロテクタ２０を示す図である。図１及び図２は、プロテクタ２０の蓋部４０が開いている状態を示す図であり、図３及び図４は、プロテクタ２０の蓋部４０が閉じている状態を示す図であり、図５〜図９は、プロテクタ２０がロックされている状態を示す図である。なお、図１、図３及び図５は、斜視図であり、図２、図４及び図６は正面図である。また、図７は、背面図であり、図８は、底面図である。また、図９は、図８のＩＸ−ＩＸ線に沿って切断した断面図である。なお、図３と図５とは、同じ方向から見た斜視図であり、図１は、図３及び図５とは、異なる方向から見た斜視図である。
【００２１】
実施形態に係るプロテクタ２０は、保護対象部材の周囲を囲って保護する部材である。ここでは、保護対象部材としてバスバー１２が採用されている。プロテクタ２０にバスバー１２が収容されることで、バスバーモジュール１０をなしている。
【００２２】
ここで、プロテクタ２０に保護されるバスバー１２について先に説明する。
【００２３】
バスバー１２は、例えば銅などの金属からなる導体の部材であり、バスバー１２の表層には、錫メッキなどのメッキが施されている場合もある。バスバー１２は、例えばモータなどの電動機への電力の伝送経路の一部として敷設される。
【００２４】
バスバー１２は、ここでは、長尺平板状の部材が３次元状に曲がった形状に形成されている。具体的には、バスバー１２は、中間部１４及び両端部の端子部１６ａ，１６ｂから構成されている。端部の端子部１６ａ，１６ｂと中間部１４とは、端子部１６ａ，１６ｂの延在方向に直交する線に沿って、端子部１６ａ，１６ｂの主面と中間部１４の主面とが直交するように曲がっている。また、中間部１４は、同一平面内で曲がっている。なお、一方側端部の端子部１６ａと中間部１４とはバスバー１２の一方側主面を内にして曲がり、他方側端部の端子部１６ｂと中間部１４とはバスバー１２の他方側主面を内にして曲がっている。
【００２５】
バスバー１２の端子部１６ａ，１６ｂには貫通孔１７が設けられている。当該貫通孔１７を用いてバスバー１２は、例えば、以下のように接続対象に接続される。即ち、当該貫通孔１７にねじが切られた電極が通されると共に、貫通孔１７に通された電極にナットが装着されることにより、バスバー１２が電極に対して電気的に接続される。
【００２６】
プロテクタ２０に戻って、まずは、プロテクタ２０の全体構成について説明する。プロテクタ２０は、本体部２２と蓋部４０と押片４６とロック部３０と被ロック部５２とを備える。プロテクタ２０は、ここでは、樹脂等を材料として金型を用いて一体成型されるものとして説明する。
【００２７】
本体部２２は、保護対象部材の延在方向に沿った形状に形成されている。ここでは、本体部２２の底面２４は、バスバー１２の延在方向に沿って形成され、バスバー１２の一方側主面と当接している。
【００２８】
蓋部４０は、本体部２２とで保護対象部材の周囲を囲繞可能に形成されている。ここでは、蓋部４０は、バスバー１２の中間部１４の周囲を囲繞可能に設けられている。
【００２９】
押片４６は、第１ヒンジ４８と突出片５０とを含む。押片４６は、蓋部４０の外向き面から突出するように設けられている。
【００３０】
第１ヒンジ４８は、一端が蓋部４０の外向き面に連なる。第１ヒンジ４８は、周囲の部分（ここでは、突出片５０又は蓋部４０）よりも曲げ容易とされている部分である。第１ヒンジ４８により蓋部４０と突出片５０とが開く方向に付勢されている。
【００３１】
突出片５０は、第１ヒンジ４８の他端に連なる。突出片５０が第１ヒンジ４８の付勢力に抗して蓋部４０に接近する際、第１ヒンジ４８が弾性変形する。
【００３２】
ロック部３０は、本体部２２に設けられている。ここでは、ロック部３０としてロック凹部３２が採用されている。
【００３３】
被ロック部５２は、突出片５０に設けられている。被ロック部５２は、突出片５０が蓋部４０の外向き面に接近した状態でロック部３０と係止可能に形成されている。被ロック部５２が、ロック部３０と係止した状態で、押片４６が付勢力に抗して弾性変形していることにより蓋部４０が押片４６によって本体部２２側に向かって押され、蓋部４０と本体部２２との間の浮きが抑制される。ここでは、被ロック部５２としてロック爪５４が採用されている。
【００３４】
続いてプロテクタ２０の各部について詳述する。
【００３５】
本体部２２のうちバスバー１２の中間部１４を覆う部分を中間本体部２３とすると、中間本体部２３の底面２４はバスバー１２の中間部１４に沿うように同一平面内で曲がっている。そして、バスバー１２の中間部１４の側面のうち曲がっている部分の外周側を含む外側面の一部と、曲がっている部分の内周側を含む内側面とを覆うように中間本体部２３の底面２４に側壁部２５が立設されている。以降、本体部２２の側壁部２５のうち、バスバー１２の外側面を覆う側壁部を外側壁部２６とし、バスバー１２の内側面を覆う側壁部を内側壁部２８とする。そして、内側壁部２８のうちバスバー１２の端子部１６ａ側から延びる部分を第１内側壁部２８ａとし、第１内側壁部２８ａの端部から第１内側壁部２８ａと交差するようにバスバー１２の端子部１６ｂ側に延びる部分を第２内側壁部２８ｂとする。第１内側壁部２８ａの反対側には外側壁部２６が設けられておらず、第２内側壁部２８ｂの反対側には外側壁部２６が第２内側壁部２８ｂと平行に設けられている。
【００３６】
また、蓋部４０は、バスバー１２の中間部１４の他方側主面を覆う天板部４２と、本体部２２の外側壁部２６が設けられていない部分からバスバー１２の中間部１４の外側面を覆う側壁部４４とを含む。側壁部４４は、蓋部４０が閉じている状態で、第１内側壁部２８ａと平行に延びる。
【００３７】
ここでは、本体部２２と蓋部４０とは、第２ヒンジ３８を介してつながっている。具体的には、本体部２２の外側壁部２６の先端の外向き面に第２ヒンジ３８の一端がつながり、第２ヒンジ３８の他端が蓋部４０の天板部４２とつながっている。第２ヒンジ３８の延在方向（本体部２２と蓋部４０とを結ぶ方向に直交する方向）は、外側壁部２６の延在方向と平行である。第２ヒンジ３８は、例えば、周囲の部材（ここでは、蓋部４０及び本体部２２）よりも薄肉に形成されるなどの構成を採用することより、周囲の部材よりも曲げ容易とされている。
【００３８】
また、ここでは、本体部２２と蓋部４０とは、本体部２２の延在方向に沿ってロック部３０と離れた位置において、つながっている。具体的には、ここでは、上述したように本体部２２と蓋部４０とは、本体部２２の外側壁部２６に設けられた第２ヒンジ３８でつながっている。また、ロック部３０は、第１内側壁部２８ａに設けられている。これらにより、本体部２２と蓋部４０とは、本体部２２の延在方向に沿ってロック部３０と離れた位置でつながっている。
【００３９】
さらにここでは、本体部２２の延在方向に沿って第１ヒンジ４８と第２ヒンジ３８との間で、ロック部３０と被ロック部５２とが係止している。また、第１ヒンジ４８の延在方向と第２ヒンジ３８の延在方向とが平行に設定されている。
【００４０】
具体的には、第１ヒンジ４８は、天板部４２の外向き面のうち端子部１６ａ寄りに設けられている。第１ヒンジ４８の延在方向（天板部４２の表面上で天板部４２と突出片５０とを結ぶ方向に直交する方向）は、天板部４２の外縁のうち本体部２２の外側壁部２６に対向して沿う部分に平行とされている。このため、第１ヒンジ４８の延在方向と第２ヒンジ３８の延在方向とが平行となっている。
【００４１】
第１ヒンジ４８は、例えば、周囲の部分（ここでは、突出片５０及び蓋部４０）よりも薄肉に形成されるなどの構成を採用することにより、周囲の部分よりも曲げ容易とされる。第１ヒンジ４８が薄肉に形成される場合、押片４６と蓋部４０と一体成型する際に突出片５０と蓋部４０とを開いた状態で一体成型することなどにより、第１ヒンジ４８が突出片５０と蓋部４０とを開く方向に付勢可能となる。
【００４２】
突出片５０は、ここでは、平板状に形成され、ロック部３０と被ロック部５２とが係止した状態で、その一方側主面が天板部４２の外向き面に接する若しくは対向する。この際、突出片５０は、第２ヒンジ３８に近づく方向に向けて倒れる。これにより、蓋部４０が閉じると共に、突出片５０が蓋部４０に向けて倒れることで、突出片５０の先端に設けられた被ロック部５２が第１ヒンジ４８と第２ヒンジ３８との間でロック部３０と係止する。
【００４３】
なお、ここでは、突出片５０は、略Ｌ字状に形成されているが、これは、天板部４２が同一平面内において鈍角で曲がっていること、第１ヒンジ４８の延在方向と第２ヒンジ３８の延在方向とが平行であること、及びロック部３０の位置などによるものであり、突出片５０の形状は上記したものに限られるものではない。突出片５０は、突出片５０に設けられる被ロック部５２が本体部２２に設けられるロック部３０と係止可能であれば、その形状は適宜設定されていればよい。
【００４４】
ここで、ロック部３０及び被ロック部５２の具体的な形状について説明する。ここでは、被ロック部５２としてロック爪５４が採用され、ロック部３０は、ロック爪５４を嵌めることができるロック凹部３２が採用されている。
【００４５】
より具体的には、ここでは、被ロック部５２をなすロック爪５４は、突出片５０の側縁部から突出片５０の主面に直交するように突出するように設けられている。より詳細には、ロック爪５４は、突出片５０に対して、突出片５０が第２ヒンジ３８に近づく方向に向けて倒れた際に天板部４２の外向き面と対向する主面側に突出するように設けられている。また、ロック爪５４の先端部分には、ロック爪５４の先端側から基端側に向かって徐々に厚肉になる厚肉部５４ａが設けられている。また、厚肉部５４ａの基端側縁部には段差部５４ｂが生じている。
【００４６】
ロック部３０は、本体部２２の延在方向に間隔をあけて本体部２２の第１内側壁部２８ａのうち端子部１６ａ寄りに突設された一対の第１枠体片３４と、一対の第１枠体部の先端を結ぶ第２枠体片３６とを含む。これにより、本体部２２の第１内側壁部２８ａと、一対の第１枠体片３４と、第２枠体片３６とで囲まれる空間がロック凹部３２をなしている。
【００４７】
一対の第１枠体片３４の内面同士の間隔は、ロック爪５４の幅寸法と同じかそれよりも大きく設定されている。ここでは、ロック部３０と被ロック部５２とが係止する際、突出片５０及び被ロック部５２が第１ヒンジ４８を軸に回動するため、回動しながら係止可能となるように第１枠体片３４の内面同士の間隔は、ロック爪５４の幅寸法よりも大きく設定されている。
【００４８】
また、本体部２２の第１内側壁部２８ａの外面と第２枠体片３６の内面との間隔は、ロック爪５４の厚肉部５４ａのうち最も厚肉の部分の厚みよりも小さく設定されている。
【００４９】
なお、上述したようにここでは、プロテクタ２０を製造する際に樹脂等を材料として、金型を用いて一体成型している。これにより、プロテクタ２０の形状には、種々の制約が生じている。例えば、蓋部４０と本体部２２とは、第２ヒンジ３８によって開く方向に付勢されている。このため、本体部２２と蓋部４０とは浮きが生じやすくなっている。これは、本体部２２と蓋部４０とが開いた状態で一体成型されることなどによる。また、本体部２２のうち第１内側壁部２８ａの反対側には、外側壁部２６が設けられていない。このため、ロック部３０の反対側には、ロック構造或いはヒンジ構造を採用しにくい。これは、ロック部３０の反対側には、金型のうち別の部分が位置することなどによる。上記のような制約は、主に、金型を抜くのを容易とするために生じている。
【００５０】
＜動作＞
次に、ロック部３０（ここでは、ロック凹部３２）と被ロック部５２（ここでは、ロック爪５４）との係止動作について説明する。
【００５１】
ロック爪５４とロック凹部３２とを係止させるには、まず、蓋部４０を本体部２２に近づけるようにして蓋部４０を閉じるとともに、突出片５０を蓋部４０に近づけていく。これにより、ロック凹部３２にロック爪５４が徐々に挿し込まれていく。
【００５２】
ロック爪５４がロック凹部３２に挿し込まれていくと、ロック爪５４の厚肉部５４ａがロック凹部３２の内周縁部に引っ掛かる。この状態でさらに力を加えると、ロック爪５４の厚肉部５４ａが若干薄肉になるようにロック爪５４が弾性変形すること、及び、本体部２２の第１内側壁部２８ａの外面と第２枠体片３６の内面との間隔が広がるように第１内側壁部２８ａ或いは第２枠体片３６が弾性変形することのうち少なくとも一方が生じることにより、ロック爪５４の厚肉部５４ａがロック凹部３２に挿し込まれていく。そして、ロック爪５４の厚肉部５４ａがロック凹部３２を越えることで弾性変形していたものが緩和され、ロック爪５４の段差部５４ｂが第２枠体片３６の底面２４に引っ掛かり、蓋部４０と本体部２２とがロックされる。
【００５３】
蓋部４０と本体部２２とがロックされた状態で、第１内側壁部２８ａの位置では、ロック部３０と被ロック部５２とで蓋部４０と本体部２２とがロックされているため、本体部２２に対して蓋部４０は浮きにくい。また、外側壁部２６の位置では、蓋部４０と本体部２２とが第２ヒンジ３８を介してつながっているため、蓋部４０を開く方向に付勢している第２ヒンジ３８の反力により、本体部２２に対して蓋部４０が浮きにくい。しかしながら、第１内側壁部２８ａの反対側では、蓋部４０と本体部２２とが、ロックされず、また、つながってもいないため、浮きやすい。この部分を浮きにくくするため、蓋部４０に押片４６が設けられている。
【００５４】
具体的には、ロック爪５４をロック凹部３２に挿し込む際、突出片５０が第２ヒンジ３８に近づくように、第１ヒンジ４８を軸にして回動しつつ蓋部４０の天板部４２に向けて倒れ込む。このとき、第１ヒンジ４８は、曲げられることで弾性変形する。そして、ロック爪５４とロック凹部３２とが係止した状態で、第１ヒンジ４８は、弾性変形した状態で維持される。このため、ロック爪５４とロック凹部３２とが係止した状態で、蓋部４０の天板部４２には、第１ヒンジ４８の弾性変形による反力がかかる。この反力が天板部４２を押さえる方向に作用することによって、本体部２２に対する蓋部４０の浮きを抑制することができる。
【００５５】
この際、本体部２２と蓋部４０とが、本体部２２の延在方向に沿ってロック部３０と離れた位置において、第２ヒンジ３８を介してつながっている場合、第２ヒンジ３８の反力によって本体部２２に対して蓋部４０が浮きやすい。
【００５６】
特に、本体部２２の延在方向に沿って第１ヒンジ４８と第２ヒンジ３８との間で、ロック部３０と被ロック部５２とが係止していると、第１ヒンジ４８を第２ヒンジ３８から蓋部４０の延在方向に沿って第２ヒンジ３８からより遠い側に押片４６の弾性変形による反力が作用するため、本体部２２に対する蓋部４０の浮きをより確実に抑制することができる。
【００５７】
また、第１ヒンジ４８の延在方向と第２ヒンジ３８の延在方向とが平行に設定されていると、第２ヒンジ３８の反力を第１ヒンジ４８の反力で打ち消しやすい。これにより、本体部２２に対する蓋部４０の浮きをより確実に抑制することができる。
【００５８】
実施形態に係るプロテクタ２０によると、保護対象部材の延在方向に沿った形状に形成された本体部２２と、本体部２２とで保護対象部材の周囲を囲繞可能な蓋部４０と、一端が蓋部４０の外向き面に連なる第１ヒンジ４８と、第１ヒンジ４８の他端に連なる突出片５０とを含み、第１ヒンジ４８により蓋部４０と突出片５０とが開く方向に付勢されている押片４６と、本体部２２に設けられたロック部３０と、突出片５０に設けられ、突出片５０が蓋部４０の外向き面に接近した状態でロック部３０と係止可能な被ロック部５２と、を備えるため、押片４６の弾性変形による反力が蓋部４０を押さえる方向に作用することによって、本体部２２に対する蓋部４０の浮きを抑制することができる。
【００５９】
また、本体部２２の延在方向に沿ってロック部３０と離れた位置において、本体部２２と蓋部４０とが第２ヒンジ３８を介してつながっているため、本体部２２に対して蓋部４０が浮きやすい。この場合でも、押片４６の弾性変形による反力が蓋部４０を押さえる方向に作用するため、本体部２２に対する蓋部４０の浮きを抑制することができる。
【００６０】
また、本体部２２の延在方向に沿って第１ヒンジ４８と第２ヒンジ３８との間で、ロック部３０と被ロック部５２とが係止しているため、蓋部４０の延在方向に沿って第２ヒンジ３８からより遠い側に押片４６の弾性変形による反力が作用するため、本体部２２に対する蓋部４０の浮きをより確実に抑制することができる。
【００６１】
また、第１ヒンジ４８の延在方向と第２ヒンジ３８の延在方向とが平行に設定されているため、第２ヒンジ３８の反力を第１ヒンジ４８の反力で打ち消しやすい。これにより、本体部２２に対する蓋部４０の浮きをより確実に抑制することができる。
【００６２】
また、保護対象部材としてバスバー１２が収容されるため、本体部２２に対する蓋部４０の浮きを抑制することで、浮きによる隙間からの異物混入等によってショートする恐れを抑えることができる。
【００６３】
｛変形例｝
実施形態において、本体部には、バスバー１２の収容空間を挟んで第１内側壁部２８ａの反対側には外側壁部が設けられていないが、第１内側壁部２８ａの反対側にも外側壁部が設けられている場合もあり得る。この場合、第１内側壁部２８ａの反対側に設けられた外側壁部に、ロック部或いは第２ヒンジ等が設けられている場合もあり得る。
【００６４】
また、実施形態において、蓋部４０が閉じた状態で第１ヒンジ４８と第２ヒンジ３８との間にロック部３０が設けられているが、第１ヒンジの形成される位置は、ロック部よりも第２ヒンジに近い側であることも考えられる。この場合、突出片は、第２ヒンジから遠ざかる方向に倒れて、ロック部と被ロック部とが係止する。
【００６５】
また、実施形態において、蓋部４０が閉じた状態で第１ヒンジ４８の延在方向と第２ヒンジ３８の延在方向とが平行となるように設定されているが、第１ヒンジの延在方向と第２ヒンジの延在方向とが平行でない場合もあり得る。例えば、第１ヒンジの延在方向は、蓋部の延在方向（バスバーの中間部の延在方向）に沿った方向に設定されることも考えられる。この場合、突出片は、ロック部に向かって蓋部の延在方向に直交する方向（蓋部の幅方向）に沿って倒れる。
【００６６】
また、実施形態では、プロテクタ２０が樹脂等により一体成型されているものとして説明したが、このことは必須ではない。プロテクタ２０は、別体として形成された複数の部材を組み合わせて形成されていてもよい。
【００６７】
例えば、蓋部及び押片は別体で形成されていてもよい。これに関連して、第１ヒンジ４８は実施形態では薄肉形状を採用しているが、このことは必須ではない。第１ヒンジとしては、例えば、バネを有するヒンジ、いわゆるスプリングヒンジ（スプリング丁番又はバネ丁番とも言う）等の別の構成を採用してもよい。つまり、第１ヒンジは、突出片を開く方向に付勢可能であって、かつ、突出片を閉じる方向に弾性変形可能なものであればよい。
【００６８】
また、例えば、蓋部と本体部とは、つながっておらず、別体で形成されている場合もあり得る。この場合、第２ヒンジの位置にロック部と被ロック部とが設けられているとよい。
【００６９】
また、実施形態では、ロック部３０としてロック凹部３２が採用され、被ロック部５２としてロック爪５４が採用されているが、このことは必須ではない。例えば、ロック部としてロック爪が採用され、被ロック部としてロック凹部が採用されていてもよい。
【００７０】
また、実施形態では、プロテクタ２０はバスバー１２を保護するものとして説明したが、プロテクタの保護対象は、バスバーに限られるものではない。プロテクタの保護対象は、例えば、電線又はワイヤーハーネス等であってもよい。
【００７１】
なお、上記実施形態及び各変形例で説明した各構成は、相互に矛盾しない限り適宜組み合わせることができる。
【００７２】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７３】
１０  バスバーモジュール
１２  バスバー
２０  プロテクタ
２２  本体部
３０  ロック部
３８  第２ヒンジ
４０  蓋部
４６  押片
４８  第１ヒンジ
５０  突出片
５２  被ロック部
【図１】
2016144242.tif 000003
【図２】
2016144242.tif 000004
【図３】
2016144242.tif 000005
【図４】
2016144242.tif 000006
【図５】
2016144242.tif 000007
【図６】
2016144242.tif 000008
【図７】
2016144242.tif 000009
【図８】
2016144242.tif 000010
【図９】
2016144242.tif 000011